(57)【特許請求の範囲】
【請求項１】
車両のサスペンション装置におけるショックアブソーバの作動軸を車両ボディに対して弾性的に連結するサスペンションサポート装置であって、
前記作動軸を挿通する孔が形成された前記車両ボディと、
前記作動軸に取り付けられ、前記車両ボディの上側に離隔して配置される上側取付部材と、
前記作動軸に取り付けられ、前記車両ボディの下側に離隔して配置される下側取付部材と、
環状からなり、前記作動軸に嵌挿され、前記上側取付部材の下面と前記車両ボディの上面との間に圧縮された状態で配置されるアッパクッションゴムと、
環状からなり、前記作動軸に嵌挿され、前記下側取付部材の上面と前記車両ボディの下面との間に圧縮された状態で配置されるロアクッションゴムと、
を備え、
前記ロアクッションゴムは、
環状からなり、前記作動軸に嵌挿され、前記下側取付部材の上面と前記車両ボディの下面との間に圧縮された状態で配置されると共に、前記車両ボディの下面に押圧される環状の上側被押圧面を有する本体部と、
前記本体部の前記上側被押圧面の径方向内方に一体形成され、先端が前記上側被押圧面より上方且つ径方向内方へ傾斜するように突出形成され、径方向内方へ倒れ変形した状態で前記車両ボディ及び前記アッパクッションゴムの少なくとも何れか一方に当接する環状のシールリップ部と、
を備えることを特徴とするサスペンションサポート装置。
【請求項２】
前記本体部は、前記上側被押圧面の内周縁と前記シールリップ部との間に環状の凹部を有する請求項１記載のサスペンションサポート装置。
【請求項３】
前記上側被押圧面は、径方向内方に位置する環状の内方被押圧面と、径方向外方に位置する環状の外方被押圧面とを備え、
前記ロアクッションゴムは、前記内方被押圧面と前記外方被押圧面との間に形成され、前記上側被押圧面より上方へ突出形成され、上下方向に圧縮変形した状態で前記車両ボディに当接する環状突起部を備える請求項１又は２に記載のサスペンションサポート装置。
【発明の詳細な説明】
【技術分野】
【０００１】
本発明は、車両のサスペンション装置のショックアブソーバの作動軸を車両ボディに対して弾性的に連結するサスペンションサポート装置に関するものである。
【背景技術】
【０００２】
従来のサスペンションサポート装置は、例えば、特開２０００−１９９５３７号公報（特許文献１）に開示されたものがある。当該特許文献１には、車両ボディの上面と作動軸に取り付けられた上側取付部材との間にアッパクッションゴムを配置し、車両ボディの下側と作動軸に取り付けられた下側取付部材との間にロアクッションゴムを配置した構成からなる。
【０００３】
そして、ロアクッションゴムの上面には、環状の圧縮突起部が形成されている。この圧縮突起部は、車両組付時において上下方向に圧縮されている。この圧縮突起部により、車両ボディとショックアブソーバの作動軸とが相対的に上下方向へ移動する際に、車両ボディの下面とロアクッションゴムとの間をシールする効果を発揮している。
【特許文献１】特開２０００−１９９５３７号公報
【発明の開示】
【発明が解決しようとする課題】
【０００４】
しかし、例えば、走行面が凹凸状の場合などには、ショックアブソーバの作動軸が車両ボディに対して傾斜する状態、いわゆるこじれ状態となる。この場合、車両ボディの下面とロアクッションゴムとの間が大きく開き、隙間が形成されるおそれがある。また、こじれ状態に限られず、車両ボディとショックアブソーバの作動軸とが相対的に上下方向へ非常に大きく移動する場合にも同様である。
【０００５】
このように、車両ボディの下面とロアクッションゴムとの間に隙間が形成されると、車両ボディの下側である車室外から車両ボディの上側である車室内へ、水や泥などが侵入するおそれがある。さらには、ロアクッションゴムの内周側に侵入した水や泥は、ショックアブソーバの作動軸を伝って、ロアクッションゴムの下方側に位置するショックアブソーバ本体側へ侵入するおそれがある。
【０００６】
そこで、車両ボディの下面とロアクッションゴムとの間に隙間が生じないようにするために、例えば、ロアクッションゴムの圧縮代を大きくすることが考えられる。しかし、ロアクッションゴムの圧縮代を大きくすると、ロアクッションゴムの適切なばね特性が得られないと共に、ロアクッションゴムの耐久性が低下するという問題がある。
【０００７】
また、車両ボディの下面とロアクッションゴムとの間に隙間が生じないようにするための他の手段としては、圧縮突起部の突出量を大きくすることが考えられる。しかし、この場合も、ロアクッションゴムの圧縮代を大きくする場合と同様に、適切なばね特性が得られないと共に、耐久性が低下する問題が生じる。
【０００８】
本発明は、このような事情に鑑みてなされたものであり、ロアクッションゴムの圧縮代や圧縮突起部の突出量を大きくすることなく、車両ボディの下面とロアクッションゴムとの間から水や泥が侵入することを防止できるサスペンションサポート装置を提供することを目的とする。
【課題を解決するための手段】
【０００９】
本発明のサスペンションサポート装置は、車両のサスペンション装置におけるショックアブソーバの作動軸を車両ボディに対して弾性的に連結するサスペンションサポート装置であって、作動軸を挿通する孔が形成された車両ボディと、作動軸に取り付けられ、車両ボディの上側に離隔して配置される上側取付部材と、作動軸に取り付けられ、車両ボディの下側に離隔して配置される下側取付部材と、環状からなり、作動軸に嵌挿され、上側取付部材の下面と車両ボディの上面との間に圧縮された状態で配置されるアッパクッションゴムと、環状からなり、作動軸に嵌挿され、下側取付部材の上面と車両ボディの下面との間に圧縮された状態で配置されるロアクッションゴムとを備える。
【００１０】
そして、ロアクッションゴムは、環状からなり、作動軸に嵌挿され、下側取付部材の上面と車両ボディの下面との間に圧縮された状態で配置されると共に、車両ボディの下面に押圧される環状の上側被押圧面を有する本体部と、本体部の上側被押圧面の径方向内方に一体形成され、先端が上側被押圧面より上方且つ径方向内方へ傾斜するように突出形成され、径方向内方へ倒れ変形した状態で車両ボディ及びアッパクッションゴムの少なくとも何れか一方に当接する環状のシールリップ部とを備える。
【００１１】
つまり、シールリップ部は、車両ボディのみに当接する場合と、アッパクッションゴムのみに当接する場合と、車両ボディ及びアッパクッションゴムに当接する場合が含まれる。ここで、シールリップ部がアッパクッションゴムに当接する場合には、アッパクッションゴム又はシールリップ部が、車両ボディに形成された孔を貫通している状態となる。
【００１２】
そして、シールリップ部は、本体部の上側被押圧面の径方向内方に形成されているので、上側被押圧面よりも作動軸の軸中心に近接している。従って、ショックアブソーバの作動軸が車両ボディに対してこじれ状態となる場合に、シールリップ部のうち本体部に一体形成されている部位（シールリップ部の根本部位）と車両ボディとの最大離間距離は、上側被押圧面と車両ボディとの最大離間距離に比べて小さくすることができる。
【００１３】
さらに、シールリップ部の先端は、上側被押圧面より上方且つ径方向内方へ傾斜するように突出している。従って、シールリップ部の先端は、シールリップ部の根本部位よりも、作動軸の軸中心に近接している。つまり、ショックアブソーバの作動軸が車両ボディに対してこじれ状態となる場合に、シールリップ部の根本部位と先端との離間距離がより小さくなる。
【００１４】
さらに、シールリップ部は、上述したように、径方向内方へ倒れ変形した状態で車両ボディ及びアッパクッションゴムの少なくとも何れか一方に当接するようにしている。従って、シールリップ部は、本体部の上側被押圧面より上方且つ径方向内方へ突出する突出量を大きく確保することができる。つまり、車両ボディと本体部の上側被押圧面とが離間するような場合であっても、シールリップ部が車両ボディ及びアッパクッションゴムの少なくとも何れか一方に当接するようにすることができる。
【００１５】
従って、ショックアブソーバの作動軸が車両ボディに対してこじれ状態となる場合や、車両ボディとショックアブソーバの作動軸とが相対的に上下方向へ非常に大きく移動する場合などであっても、シールリップ部が確実に車両ボディ及びアッパクッションゴムの少なくとも何れか一方に当接した状態を維持できる。これにより、アッパクッションゴムとショックアブソーバの作動軸との間、及び、ロアクッションゴムとショックアブソーバの作動軸との間に水・泥が侵入することを防止できる。特に、シールリップ部の先端を車両ボディに当接するようにすることで、アッパクッションゴムと車両ボディとの間から水・泥が侵入することを防止できる。
【００１６】
また、シールリップ部は、径方向内方へ倒れ変形した状態で車両ボディ及びアッパクッションゴムの少なくとも何れか一方に当接することにより、本体部の圧縮代は従来と同等でよい。さらに、シールリップ部は、倒れ変形するので、ばね特性にそれほど影響を及ぼさない。従って、ロアクッションゴムのばね特性及び耐久性は、従来と同等とすることができる。これにより、従来のように、ロアクッションゴムの圧縮代や圧縮突起部の突出量を大きくすることなく、アッパクッションゴムとショックアブソーバの作動軸との間、及び、ロアクッションゴムとショックアブソーバの作動軸との間に水・泥が侵入することを防止できる。
【００１７】
ここで、上述したように、シールリップ部は、径方向内方へ倒れ変形した状態で車両ボディ及びアッパクッションゴムの少なくとも何れか一方に当接するようにしている。従って、シールリップ部の根本部位には、せん断力が作用している。このせん断力が大きくなると、シールリップ部の根本部位に亀裂が生じるおそれがある。
【００１８】
そこで、本発明のサスペンションサポート装置において、本体部は、上側被押圧面の内周縁とシールリップ部との間に環状の凹部を有するようにするとよい。つまり、本体部は、車両ボディの下面に押圧される上側被押圧面の内周縁に環状の凹部を有する。そして、この凹部の内周縁に、シールリップ部が形成されている。
【００１９】
このように、本体部が、上側被押圧面の内周縁とシールリップ部との間に環状の凹部を有することで、シールリップ部の根本部位が車両ボディの下面に直接的に押圧されないようにすることができる。従って、シールリップ部の根本部位に大きなせん断力が作用することを回避できる。
【００２０】
また、本発明のサスペンションサポート装置において、本体部の上側被押圧面に、上側へ突出する環状突起部を備えるようにしてもよい。すなわち、上側被押圧面は、径方向内方に位置する環状の内方被押圧面と、径方向外方に位置する環状の外方被押圧面とを備え、ロアクッションゴムは、内方被押圧面と外方被押圧面との間に形成され、上側被押圧面より上方へ突出形成され、上下方向に圧縮変形した状態で車両ボディに当接する環状突起部を備える。
【００２１】
これにより、シールリップ部と環状突起部とにより、二重にシール性能を発揮することができる。ただし、環状突起部は、上下方向に圧縮変形した状態で車両ボディに当接するようにされている。従って、環状突起部の突出量をあまりに大きくすると、ばね特性や耐久性に悪影響を及ぼす。そこで、環状突起部が上側被押圧面より上方へ突出する量を、シールリップ部が上側被押圧面より上方へ突出する量よりも小さくするとよい。これにより、環状突起部により、ばね特性や耐久性に影響を及ぼさないようにすることができる。
【発明の効果】
【００２２】
本発明のサスペンションサポート装置によれば、ロアクッションゴムの圧縮代や圧縮突起部の突出量を大きくすることなく、アッパクッションゴムとショックアブソーバの作動軸との間、及び、ロアクッションゴムとショックアブソーバの作動軸との間に水・泥が侵入することを防止できる。
【発明を実施するための最良の形態】
【００２３】
次に、実施形態を挙げ、本発明をより詳しく説明する。
【００２４】
（１）第１実施形態
第１実施形態のサスペンションサポート装置について説明する。まず、サスペンションサポート装置の全体構成について、図１を参照して説明する。その後、本発明の特徴部分であるロアクッションゴム７０の詳細構成について、図１〜図４を参照して説明する。ここで、図１は、車両組付状態における第１実施形態のサスペンションサポート装置の軸方向断面図である。図２は、ロアクッションゴム７０の軸方向断面図である。図３は、図２のＡ部拡大図である。図４は、ショックアブソーバの作動軸２０が車両ボディ１０に対してこじれ状態となった場合における、第１実施形態のサスペンションサポート装置の軸方向断面図である。
【００２５】
（１．１）サスペンション装置の全体構成
まず、サスペンションサポート装置の全体構成について説明する。サスペンションサポート装置は、車両のサスペンション装置におけるショックアブソーバの作動軸２０を車両ボディ１０に対して弾性的に連結する。このサスペンションサポート装置は、図１に示すように、車両ボディ１０と、ショックアブソーバの作動軸２０と、下側取付部材３０と、内筒部材４０と、上側取付部材５０と、アッパクッションゴム６０と、ロアクッションゴム７０とを備える。
【００２６】
車両ボディ１０は、サスペンション装置を懸架する部分であって、金属製の板状からなる部分である。この板状からなる車両ボディ１０には、ほぼ水平に配置されており、貫通する円形孔１１が形成されている。ショックアブソーバの作動軸２０は、ショックアブソーバ本体の上側に延びるように取り付けられている軸状部材である。ショックアブソーバの作動軸２０の上端外周側には取付ナット２１に螺合する雄ねじ２２が形成されている。また、ショックアブソーバの作動軸２０のうち雄ねじ２２より下方側は、径方向外方に突出する突環部２３が形成されている。この突環部２３の上面側には、バウンドストッパ保持部材８０の円形孔８１の外周部分下面側が係合するようにされている。つまり、突環部２３は、バウンドストッパ保持部材８０の軸方向の位置決めをしている。また、ショックアブソーバの作動軸２０は、車両ボディ１０の円形孔１１を挿通している。
【００２７】
下側取付部材３０は、金属製のカップ状からなる。この下側取付部材３０の最外径は、車両ボディ１０の円形孔１１よりも大きく形成されている。また、下側取付部材３０のカップ底面には、ショックアブソーバの作動軸２０が挿通可能な円形孔３１が形成されている。この円形孔３１の内径は、ショックアブソーバの作動軸２０のうち突環部２３の上方側の外径より僅かに大きく形成されている。そして、下側取付部材３０は、車両ボディ１０の下側に離隔して配置されており、下側部材３０のカップ開口側が車両ボディ１０の下側面を向くように配置されている。つまり、下側取付部材３０は、車両ボディ１０の円形孔１１の外周部分下面側に対向するように配置されている。さらに、下側取付部材３０のカップ底面の下方側には、バウンドストッパ保持部材８０の上面が当接している。つまり、下側取付部材３０は、ショックアブソーバの作動軸２０の突環部２３により軸方向の位置決めがされている。
【００２８】
内筒部材４０は、金属製の円筒状からなり、ショックアブソーバの作動軸２０に嵌挿されている。具体的には、内筒部材４０の内径は、ショックアブソーバの作動軸２０のうち突環部２３の上方側の外径より僅かに大きく形成されており、下側取付部材３０の円形孔３１の内径とほぼ同等である。さらに、内筒部材４０は、車両ボディ１０の円形孔１１の内径よりも小さく形成されている。この内筒部材４０の下端面は、下側取付部材３０のカップ底面の上面に当接している。
【００２９】
上側取付部材５０は、金属製の円盤状からなる。この上側取付部材５０の外径は、車両ボディ１０の円形孔１１よりも大きく形成されている。また、上側取付部材５０の中心には、円形孔５１が形成されている。この円形孔５１の内径は、ショックアブソーバの作動軸２０のうち突環部２３の上方側の外径より僅かに大きく形成されており、内筒部材４０の内径とほぼ同等である。また、上側取付部材５０の下面には、内筒部材４０の上端面が当接している。この上側取付部材５０の上面は、取付ナット２１により軸方向下側へ押圧されて固定されている。つまり、下側取付部材３０、内筒部材４０、及び、上側取付部材５０は、ショックアブソーバの作動軸２０に固定されている。
【００３０】
アッパクッションゴム６０は、全体としては円環状からなる。このアッパクッションゴム６０は、円環状の板状金具６１と、板状金具６１に一体加硫成形されゴム弾性体からなるクッションゴム部６２とからなる。そして、アッパクッションゴム６０は、内筒部材４０に嵌挿されている。また、アッパクッションゴム６０は、車両ボディ１０の上面と上側取付部材５０の下面との間に軸方向に圧縮された状態で配置されている。なお、アッパクッションゴム６０は、車両ボディ１０及び上側取付部材５０に対して非接着とされている。さらに、アッパクッションゴム６０の下端面には、下方へ突出する環状突起部６３が形成されている。この環状突起部６３の内径は、内筒部材４０の外径とほぼ同等に形成されている。また、環状突起部６３の外径は、車両ボディ１０の円形孔１１の内径とほぼ同等に形成されている。この環状突起部６３は、車両ボディ１０の円形孔１１に挿通する状態、すなわち、車両ボディ１０の円形孔１１の内周面と内筒部材４０の外周面との間に配置されている。そして、この環状突起部６３の下端面は、車両ボディ１０の下面と軸方向においてほぼ同じ位置に位置している。
【００３１】
ロアクッションゴム７０は、全体としては、円環状のゴム弾性体からなる。このロアクッションゴム７０は、内筒部材４０に嵌挿されている。また、ロアクッションゴム７０は、下側取付部材３０のカップ内に嵌め入れられ、上面側が下側取付部材３０の上端面よりも上方に突出している。そして、ロアクッションゴム７０は、車両ボディ１０の下面と下側取付部材３０との間に軸方向に圧縮された状態で配置されている。なお、ロアクッションゴム７０は、車両ボディ１０及び下側取付部材３０に対して非接着とされている。
【００３２】
以上のように構成されるサスペンションサポート装置は、車両ボディ１０に対してショックアブソーバの作動軸２０が相対移動した場合に、アッパクッションゴム６０及びロアクッションゴム７０のクッション作用が働く。これにより、ショックアブソーバから伝達される振動が車両ボディ１０へ伝達されることを適切に防振している。
【００３３】
（１．２）ロアクッションゴム７０の詳細構成
次に、ロアクッションゴム７０の詳細構成について、主として図２及び図３を参照して説明する。ロアクッションゴム７０は、上述したように、全体としては、円環状のゴム弾性体からなる。詳細には、ロアクッションゴム７０は、図２に示すように、本体部７１と、第１シールリップ部７２（本発明におけるシールリップ部）と、第２シールリップ部７３（本発明における環状突起部）とを備える。
【００３４】
本体部７１は、ロアクッションゴム７０の大部分を占める部分であって、円環状からなり、内筒部材４０に嵌挿されている部分である。具体的には、本体部７１は、車両ボディ１０の下面と下側取付部材３０との間に軸方向に圧縮された状態で配置される部分である。
【００３５】
そして、この本体部７１の上端面には、図３に示すように、外方被押圧面７１ａ（本発明における上側被押圧面）と、内方被押圧面７１ｂ（本発明における上側被押圧面）と、環状凹部７１ｃとを有している。外方被押圧面７１ａは、本体部７１の上端面のうち径方向外方に位置する環状部分である。この外方被押圧面７１ａは、図１に示すように、車両組付時において、車両ボディ１０の下面により軸方向に向かって押圧されている。
【００３６】
内方被押圧面７１ｂは、本体部７１の上端面のうち外方被押圧面７１ａよりも径方向内方に位置する環状部分である。詳細には、内方被押圧面７１ｂは、外方被押圧面７１ａよりも径方向内方に僅かに離間した位置に位置している。すなわち、外方被押圧面７１ａの内周縁と内方被押圧面７１ｂの外周縁とは、僅かに径方向に離間している。そして、内方被押圧面７１ｂは、外方被押圧面７１ａと軸方向位置が同じ位置とされている。従って、内方被押圧面７１ｂは、外方被押圧面７１ａと同様に、図１に示すように、車両組付時において、車両ボディ１０の下面により軸方向に向かって押圧されている。
【００３７】
環状凹部７１ｃは、内方被押圧面７１ｂの内周縁側の全周に亘って凹状に形成されている。そして、ロアクッションゴム７０を車両に組み付けた状態において、環状凹部７１ｃの凹底部は、図１に示すように、車両ボディ１０の下面及びアッパクッションゴム６０の環状突起部６３の下面に当接しないようにされている。また、環状凹部７１ｃの直径は、車両ボディ１０の円形孔１１の内径とほぼ同等である。従って、ロアクッションゴム７０を車両に組み付けた際に、図１に示すように、環状凹部７１ｃは、車両ボディ１０の円形孔１１の内周面の下方に位置している。
【００３８】
第１シールリップ部７２は、薄肉の環状のゴム弾性体からなる。従って、第１シールリップ部７２は、容易に倒れ変形（たわみ変形）することができる。また、第１シールリップ部７２は、環状凹部７１ｃの径方向内方に全周に亘って一体形成されている。つまり、環状凹部７１ｃは、内方被押圧面７１ｂと第１シールリップ部７２との間に形成されている。そして、第１シールリップ部７２の先端が、外方被押圧面７１ａ及び内方被押圧面７１ｂより上方且つ径方向内方へ傾斜するように突出形成されている。つまり、第１シールリップ部７２の先端は、第１シールリップ部７２のうち本体部７１に一体形成されている部位（第１シールリップ部７２の根本部位）より上方且つ径方向内方に位置している。
【００３９】
ここで、第１シールリップ部７２の先端の直径は、内筒部材４０の外径よりも大きくされている。さらに、上述したように、第１シールリップ部７２は、先端側が径方向内方に向かって傾斜している。従って、第１シールリップ部７２を車両に組み付けた際には、図１に示すように、第１シールリップ部７２は、アッパクッションゴム６０の環状突起部６３に押圧される。そうすると、第１シールリップ部７２の先端側が径方向内方へ倒れ変形する。そして、倒れ変形した状態で、第１シールリップ部７２はアッパクッションゴム６０の環状突起部６３の下端面に当接している。
【００４０】
また、第１シールリップ部７２は環状凹部７１ｃの径方向内方側に形成されているので、第１シールリップ部７２の根本部位は、車両ボディ１０の下面及びアッパクッションゴム６０の環状突起部６３の下面により押圧されない。このことは、第１シールリップ部７２の根本部位に生じるせん断応力が低減するように作用する。
【００４１】
第２シールリップ部７３は、外方被押圧面７１ａと内方被押圧面７１ｂとの間に、外方被押圧面７１ａ及び内方被押圧面７１ｂよりも上方へ突出するように形成されている。さらに、この第２シールリップ部７３の外方被押圧面７１ａから上方への突出量は、第１シールリップ部７２の外方被押圧面７１ａから上方への突出量よりも非常に小さい。そして、第２シールリップ部７３は外方被押圧面７１ａと内方被押圧面７１ｂとの間に形成されているため、車両組付時において、第２シールリップ部７３は、車両ボディ１０の下面に押圧されている。従って、第２シールリップ部７３は、車両組付時において、上下方向に圧縮変形した状態で、車両ボディ１０の下面に当接している。
【００４２】
次に、ロアクッションゴム７０の作用について説明する。車両ボディ１０に対してショックアブソーバの作動軸２０が上方へ相対移動する場合には、ロアクッションゴム７０がさらに圧縮されるので、クッション作用を発揮する。
【００４３】
ここで、車両ボディ１０の下面側は車室外であって、車両ボディ１０の上面側は車室内となる。従って、車両ボディ１０の下面側であってロアクッションゴム７０の外側においては、車輪の回転により水や泥が跳ね上げられる。
【００４４】
そして、車両ボディ１０に対してショックアブソーバの作動軸２０が上方へ相対移動する場合には、本体部７１の上端面（外方被押圧面７１ａ及び内方被押圧面７１ｂ）は、車両ボディ１０の下面に当接した状態を維持している。さらに、本体部７１の上端面より上方に突出している第２シールリップ部７３は、当然に車両ボディ１０の下面に当接している。従って、ロアクッションゴム７０の外周側から内周側へ水や泥が侵入することを防止できる。
【００４５】
ところで、ロアクッションゴム７０の内周側へ水や泥が侵入した場合には、以下のようになるおそれがある。まず、ロアクッションゴム７０の内周側へ侵入した水や泥は、アッパクッションゴム６０の内周面と内筒部材４０の外周面との隙間を伝って車室内へ侵入するおそれがある。また、車両ボディ１０の円形孔１１の内周面とアッパクッションゴム６０の環状突起部６３の外周面との隙間を伝って車室内へ水や泥が侵入するおそれがある。このように車室内へ水や泥が侵入することは望ましいことではない。さらには、ロアクッションゴム７０の内周面と内筒部材４０の外周面との隙間を伝って、ショックアブソーバの内部に水や泥が侵入するおそれがある。この場合には、ショックアブソーバが適切な機能を発揮できないおそれがある。従って、ロアクッションゴム７０の内周側へ水や泥が侵入することは防止する必要がある。
【００４６】
一方、車両ボディ１０に対してショックアブソーバの作動軸２０が下方へ相対移動する場合には、ロアクッションゴム７０が車両ボディ１０の下面に対して離間する方向へ移動しようとする。ただし、ロアクッションゴム７０の本体部７１は車両ボディ１０の下面と下側取付部材３０とにより軸方向に予め圧縮された状態とされているので、車両ボディ１０に対してショックアブソーバの作動軸２０が下方への相対移動量が小さい場合には、本体部７１の上端面は、車両ボディ１０の下面に当接した状態を維持している。
【００４７】
しかし、車両ボディ１０に対してショックアブソーバの作動軸２０が下方への相対移動量が大きい場合には、本体部７１の上端面が車両ボディ１０の下面から離間することがある。ただし、この場合であっても、第２シールリップ部７３は本体部７１の上端面より上方に突出して形成されているので、第２シールリップ部７３が車両ボディ１０に当接した状態を維持することができる。従って、これらの場合には、ロアクッションゴム７０の外周側から内周側へ水や泥が侵入することを防止できる。
【００４８】
また、車両ボディ１０に対してショックアブソーバの作動軸２０が傾斜する状態、すなわちこじれ状態となる場合には、以下のようになる。この場合について、図４を参照して説明する。図４に示すように、この場合、車両ボディ１０の下面と本体部７１の上端面との間が部分的に大きく離間する。車両ボディ１０の下面と本体部７１の上端面との離間量が大きい場合には、第２シールリップ部７３も車両ボディ１０の下面から離間することがある。しかし、この場合、倒れ変形していた第１シールリップ部７２が、成形時の状態に戻るように作用する。つまり、第１シールリップ部７２は、第１シールリップ部７２の先端が本体部７１の上端面よりも上方側に位置するように動作する。従って、こじれ状態となった場合であっても、第１シールリップ部７２は、アッパクッションゴム６０の環状突起部６３の下面に当接した状態を維持する。従って、アッパクッションゴム６０の内周面と内筒部材４０の外周面との隙間を伝って車室内へ水や泥が侵入することを防止できる。さらに、ロアクッションゴム７０の内周面と内筒部材４０の外周面との隙間を伝って、ショックアブソーバの内部に水や泥が侵入することを防止できる。
【００４９】
ここで、第１シールリップ部７２は、本体部７１の上端面の内周縁よりも、ショックアブソーバの作動軸２０の軸中心に近接した位置に形成されている。従って、こじれ状態となった場合に、第１シールリップ部７２の根本部位と車両ボディ１０の下面との距離は、本体部７１の上端面と車両ボディ１０の下面との距離よりも小さくなる。
【００５０】
このことに加えて、第１シールリップ部７２の先端は、第１シールリップ部７２の根本部位よりも径方向内方に傾斜するように形成されている。従って、第１シールリップ部７２は、径方向内方に倒れ変形した状態で組み付けられる。つまり、第１シールリップ部７２の先端は、ショックアブソーバの作動軸２０の軸中心にさらに近接した位置に位置している。従って、こじれ状態の場合に、第１シールリップ部７２の根本部位と、第１シールリップ部７２の先端が当接可能なアッパクッションゴム６０の位置との離間距離がさらに小さくなるように作用する。換言すると、第１シールリップ部７２の先端はアッパクッションゴム６０から離間しにくいように作用する。従って、上記効果を確実に発揮する。
【００５１】
また、車両ボディ１０に対してショックアブソーバの作動軸２０が下方への相対移動量が極めて大きい場合に、第２シールリップ部７３が車両ボディ１０の下面から離間したとしても、第１シールリップ部７２はアッパクッションゴム６０に当接した状態を維持する。従って、上述したこじれ状態の場合と同様の効果を発揮する。
【００５２】
（２）第２実施形態
次に、第２実施形態のサスペンションサポート装置について図５を参照して説明する。図５は、車両組付状態であってこじれ状態の場合における第２実施形態のサスペンションサポート装置の軸方向断面図である。ここで、第２実施形態のサスペンションサポート装置において、上述した第１実施形態のサスペンションサポート装置と同一構成については同一符号を付して詳細な説明を省略する。なお、第２実施形態のサスペンションサポート装置は、第１実施形態のサスペンションサポート装置に対して、ロアクッションゴム１００の上側形状のみ相違する。従って、以下、ロアクッションゴム１００のみについて説明する。
【００５３】
ロアクッションゴム１００は、全体としては、第１実施形態のロアクッションゴム７０と同様に、円環状のゴム弾性体からなる。詳細には、ロアクッションゴム１００は、本体部１０１と、第１シールリップ部１０２（本発明におけるシールリップ部）と、第２シールリップ部７３（本発明における環状突起部）とを備える。
【００５４】
本体部１０１は、第１実施形態の本体部７１に対して、上端面が相違する。すなわち、本体部１０１の上端面は、第１実施形態の本体部７１の上端面よりも全体的に径方向外方に形成されている。具体的には、本体部１０１の外方被押圧面１０１ａ及び内方被押圧面１０１ｂは、車両組付時において、車両ボディ１０の下面により軸方向に押圧されている。そして、本体部１０１の環状凹部１０１ｃは、車両組付時において、凹底部が車両ボディ１０の下面及びアッパクッションゴム６０の環状突起部６３の下面に当接しないようにされている。この環状凹部１０１ｃの直径は、車両ボディ１０の円形孔１１の内径よりも大きくされている。従って、ロアクッションゴム１００を車両に組み付けた際に、環状凹部１０１ｃは、車両ボディ１０の円形孔１１の内周面よりも径方向外方に位置している。
【００５５】
第１シールリップ部１０２は、薄肉の環状のゴム弾性体からなり、環状凹部１０１ｃの径方向内方に全周に亘って一体形成されている。この第１シールリップ部１０２の先端が、外方被押圧面１０１ａ及び内方被押圧面１０１ｂより上方且つ径方向内方へ傾斜するように突出形成されている。
【００５６】
そして、第１シールリップ部１０２の根本部位の直径は、車両ボディ１０の円形孔１１の内径よりも大きくされている。さらに、第１シールリップ部１０２の先端の直径は、内筒部材４０の外径より大きく、且つ、車両ボディ１０の円形孔１１の内径より小さくされている。従って、第１シールリップ部１０２を車両に組み付けた際には、第１シールリップ部１０２は、径方向内方へ倒れ変形した状態で、車両ボディ１０の下面及びアッパクッションゴム６０の環状突起部６３に当接している。
【００５７】
このような構成からなるロアクッションゴム１００によれば、こじれ状態となる場合に、第１シールリップ部１０２の先端は、車両ボディ１０の下面に当接した状態を維持できる。従って、アッパクッションゴム６０の内周面と内筒部材４０の外周面との隙間を伝って水や泥が車室内へ侵入することを防止できる。さらに、ロアクッションゴム１００の内周面と内筒部材４０の外周面との隙間を伝って、ショックアブソーバの内部に水や泥が侵入することを防止できる。このことに加えて、車両ボディ１０の円形孔１１の内周面とアッパクッションゴム６０の環状突起部６３の外周面との隙間を伝って車室内へ水や泥が侵入することも防止できる。
【００５８】
なお、第２実施形態において、第１シールリップ部１０２は、車両ボディ１０の下面及びアッパクッションゴム６０の環状突起部６３に当接するようにしたが、車両ボディ１０の下面のみに当接するようにしてもよい。この場合にも、上述した第２実施形態により発揮する効果と同一の効果を発揮することができる。
【図面の簡単な説明】
【００５９】
【図１】車両組付状態における第１実施形態のサスペンションサポート装置の軸方向断面図である。
【図２】ロアクッションゴム７０の軸方向断面図である。
【図３】図２のＡ部拡大図である。
【図４】こじれ状態における第１実施形態のサスペンションサポート装置の軸方向断面図である。
【図５】車両組付状態であってこじれ状態の場合における第２実施形態のサスペンションサポート装置の軸方向断面図である。
【符号の説明】
【００６０】
１０：車両ボディ、  １１、３１、５１：円形孔、
２０：ショックアブソーバの作動軸、  ２１：取付ナット、  ２２：雄ねじ、
２３：突環部、
３０：下側取付部材、  ４０：内筒部材、  ５０：上側取付部材、
６０：アッパクッションゴム、６１：板状金具、  ６２：クッションゴム部、
６３：環状突起部、
７０、１００：ロアクッションゴム、  ７１、１０１：本体部、
７２、１０２：第１シールリップ部（本発明におけるシールリップ部）、
７３：第２シールリップ部（本発明における環状突起部）、
７１ａ、１０１ａ：外方被押圧面、  ７１ｂ、１０１ｂ：内方被押圧面、
７１ｃ、１０１ｃ：環状凹部、
８０：バウンドストッパ保持部材
【図１】
0004539589.tif 000002
【図２】
0004539589.tif 000003
【図３】
0004539589.tif 000004
【図４】
0004539589.tif 000005
【図５】
0004539589.tif 000006